(57)【要約】【課題】画像形成条件に応じて、転写高圧の立ち上げ速度を変える。それにより、転写高圧立ち上げ時のオーバーシュートを抑え、リークを防ぎ、安定した画像形成を実現する。【解決手段】帯電手段を有し、前記帯電手段に一定電圧を供給する電圧供給手段と、前記電圧供給手段の出力の制御を行う制御手段を持つ高圧電源装置において、前記制御手段は電圧立ち上げタイミングを調整可能で、所定の条件に応じた立ち上げタイミングを予め記憶しておく記憶手段を有し、前記制御手段は所定の条件に応じたタイミングで電圧を立ち上げることを特徴とする。【選択図】　　　　図１
2004077626.tif 000002
【特許請求の範囲】
【請求項１】
帯電手段を有し、前記帯電手段に一定電圧を供給する電圧供給手段と、前記電圧供給手段の出力の制御を行う制御手段を持つ高圧電源装置において、前記制御手段は電圧立ち上げタイミングを調整可能で、所定の条件に応じた電圧立ち上げタイミングを予め記憶しておく記憶手段を有し、前記制御手段は所定の条件に応じたタイミングで電圧を立ち上げることを特徴とする高圧電源装置。
【請求項２】
前記電圧立ち上げタイミングとは電圧立ち上げカーブであることを特徴とする請求項１記載の画像形成装置。
【請求項３】
複数の帯電手段を有し、前記複数の帯電手段に一定電圧を供給する複数の電圧供給手段と、前記電圧供給手段の出力の制御を行う制御手段を持つ画像形成装置において、前記制御手段は電圧立ち上げタイミングを調整可能で、所定の条件に応じた電圧立ち上げタイミングを予め記憶しておく記憶手段を有し、前記制御手段は所定の条件に応じたタイミングで電圧を立ち上げることを特徴とする画像形成装置。
【請求項４】
前記電圧立ち上げタイミングとは電圧立ち上げカーブであることを特徴とする請求項３記載の画像形成装置
【請求項５】
トナー像を記録媒体に転写する転写手段と、前記転写手段に一定電圧を供給する電圧供給手段と、前記電圧供給手段の出力の制御を行う転写制御手段とを有する画像形成装置において、該転写制御手段は電圧立ち上げタイミングを調整可能で、画像形成条件に応じた電圧立ち上げタイミングを予め記憶しておく記憶手段を有し、前記転写制御手段は画像形成条件に応じたタイミングで電圧を立ち上げることを特徴とする画像形成装置。
【請求項６】
前記電圧立ち上げタイミングとは電圧立ち上げカーブであることを特徴とする請求項５記載の画像形成装置。
【請求項７】
前記転写制御手段は前記記憶手段から最適な電圧立ち上げ速度を選択することを特徴とする請求項１に記載の画像形成装置。
【請求項８】
前記画像形成条件とは記録媒体の種類であることを特徴とする請求項１に記載の画像形成装置。
【請求項９】
前記画像形成条件とは湿度、気圧によって決定されることを特徴とする請求項１に記載の画像形成装置。
【発明の詳細な説明】
【０００１】
【発明の属する技術分野】
本発明は、画像形成装置及び画像処理装置に関し、電子写真方式あるいは静電記録方式等により形成された潜像担持体上のトナー像を記録媒体に転写電界を与えて画像を得る画像形成装置及び画像処理装置に関するものである。
【０００２】
【従来の技術】
感光体等の像担持体表面に形成したトナー像を紙等の転写材に転写する画像形成装置は従来から広く実用されている。
【０００３】
図３はこのような画像形成装置の主要部分の典型的な一例を示す概略断面図である。この画像形成装置においては、矢印Ｘ方向に回転する感光体１０の表面が一次帯電器１１によって一様に帯電され、その帯電面に例えば画像変調されたレーザビームのような画像露光１２が照射されると、当該部分の電位が減衰して静電潜像が形成される。
【０００４】
而して、上記静電潜像が感光体１０と現像器１３とが対向する現像部位に到達すると、該静電潜像にトナーが供給されてトナー像が形成される。そして、感光体１０の回転によって前記トナー像が該感光体１０と転写帯電器１６とが対抗する転写部位に到達すると、これにタイミングを合わせて搬送される転写材１８が転写部位において感光体１０に密着するように方向付けられて供給され、これとともに転写帯電器１６によって形成される転写電界の作用によって感光体１０のトナー像が転写材１８に転写される。
【０００５】
その後、転写材１８は分離手段１９による電気的作用を受けて感光体１０から分離されて不図示の定着部位に搬送され、定着部位でトナー像の定着を受ける。一方、感光体１０表面の残留トナーはクリーナ１７によって除去され、感光体１０は次の画像形成工程に備えられる。
【０００６】
【発明が解決しようとする課題】
しかしながら、一般に帯電器等の高圧バイアス立ち上げ時には以下のような不具合が発生し易い。
【０００７】
例えば転写帯電器に転写バイアスが印加されるときの電源立ち上りにおいて、一般に制御値よりも大きな出力が一瞬出力される場合がある（以降、オーバーシュートと称する）。
【０００８】
図４は画像形成装置における転写材の搬送と転写バイアスの印加タイミングを示すタイミングチャートである。一般に、転写バイアスは転写材が転写部位に到達する前に転写帯電器に印加される。これは電源が立ち上がってから所定のバイアス電圧で定常状態となるまでに時間ａを要するからである。図４では転写材到達のｂ（ａ＜ｂ）時間前に電源を立ち上げている。
【０００９】
例えば転写材に厚紙を用いる場合、普通紙に比べて高いバイアス電圧が要求される。電源立ち上げを普通紙と同様に行う場合、電圧が高い分オーバーシュートの度合いも大きくなり、定常状態となるまでにかかる時間も長くなる（ａ’）。転写帯電器の特性によって安定したコロナ放電が可能な電圧の範囲が決まっているが、それ以上の電圧を印加するとリークが発生し、再度の電源立ち上げが必要になる。その場合、その分画像形成に余計な時間が掛かってしまう。また、湿度が高めな場合や気圧が低めの場合もリーク発生の可能性が高くなる。
【００１０】
本発明は上記問題に鑑みてなされたもので、その目的とするところは、帯電器等に用いる高圧バイアス電源を立ち上げる際の、オーバーシュートによるリークを防止して良質な画像を安定して形成することが出来る画像形成装置を提供することにある。
【００１１】
【課題を解決するための手段】
上記目的を達成するため、請求項１に記載の発明は、帯電手段を有し、前記帯電手段に一定電圧を供給する電圧供給手段と、前記電圧供給手段の出力の制御を行う制御手段を持つ高圧電源装置において、前記制御手段は電圧立ち上げタイミングを調整可能で、所定の条件に応じた立ち上げタイミングを予め記憶しておく記憶手段を有し、前記制御手段は所定の条件に応じたタイミングで電圧を立ち上げることを特徴とする。
【００１２】
請求項２記載の発明は、複数の帯電手段を有し、前記複数の帯電手段に一定電圧を供給する複数の電圧供給手段と、前記電圧供給手段の出力の制御を行う制御手段を持つ画像形成装置において、前記制御手段は立ち上げタイミングを調整可能で、所定の条件に応じた立ち上げタイミングを予め記憶しておく記憶手段を有し、前記制御手段は所定の条件に応じたタイミングで電圧を立ち上げることを特徴とする。
【００１３】
請求項３記載の発明は、トナー像を記録媒体に転写する転写手段と、前記転写手段に一定電圧を供給する電圧供給手段と、前記電圧供給手段の出力の制御を行う転写制御手段とを有する画像形成装置において、該転写制御手段は電圧立ち上げタイミングを調整可能で、画像形成条件に応じた立ち上げタイミングを予め記憶しておく記憶手段を有し、前記転写制御手段は画像形成条件に応じたタイミングで電圧を立ち上げることを特徴とする。
【００１４】
請求項４記載の発明は、請求項３に記載の発明において、前記転写制御手段は前記記憶手段から最適な電圧立ち上げ速度を選択することを特徴とする。
【００１５】
請求項５記載の発明は、請求項３の発明において、前記画像形成条件とは記録媒体の種類であることを特徴とする。
【００１６】
請求項６記載の発明は、請求項３に記載の発明において、前記画像形成条件とは湿度、気圧によって決定されることを特徴とする請求項１に記載の画像形成装置。
【００１７】
【発明の実施の形態】
以下に本発明の実施の形態を添付図面に基づいて説明する。
【００１８】
＜実施の形態１＞
以下、図１と図２に基づいて説明する。図１は本発明の形態に係る画像形成装置要部の概略断面図であり、本図においては図３に示したものと同様の要素には同一符号を付しており、以下、それらについての説明は省略する。
【００１９】
本実施の形態では、転写帯電器に印加する転写バイアスの立ち上げタイミングを、転写材の種類によって変化させるようにしている。
【００２０】
ここで、本実施の形態における画像形成装置の転写部位でのタイミングチャートを図２に示す。尚、図２は上から転写材の転写部位への通過タイミング、転写バイアスの供給タイミングを示し、転写のオーバーシュートは普通紙の場合立ち上げから約０．３秒後に収束する。
【００２１】
而して、本実施例では転写材に普通紙を用いる場合、ユーザはその旨を操作部５よりＣＰＵ１に通知する。転写材１８の転写部位への到達時間を基準として０秒とすると、ＣＰＵ１は最適な立ち上げ時間をＲＯＭ２より読み出し、約０．４秒前に転写バイアスを印加開始する、という制御を行う。
【００２２】
同様に、転写材に厚紙を用いる場合、転写材１８の転写部位への到達時間から０．６秒前に印加を開始し、なおかつ立ち上げ速度を普通紙に比べて低くする（立ち上げカーブをなだらかにする）。こうすることでオーバーシュートが収束するまでの時間は約０．２秒延びるが、オーバーシュートのピークを抑え、リークを防ぐことが可能となる。一般に厚紙を用いる場合、普通紙に比べて画像形成速度を低くするので、このような構成が可能となる。
【００２３】
然るに、本実施の形態とすることによって、転写バイアス印加時のオーバーシュート過多によるリークを防ぎ、より安定した画像形成が可能となる。
【００２４】
尚、本実施の形態では図３に示すタイミングによって出力したが、このタイミング及び出力値に限定されるものでないことは勿論である。
【００２５】
＜実施の形態２＞
次に、本発明の実施の形態２について説明する。
【００２６】
本実施の形態は、実施の形態１の転写条件設定に、気圧情報を加味するようにしている。
【００２７】
一般に、気圧が低いほど空気の密度が低くなり、リークし易くなるという傾向がある。ユーザが画像形成を開始するとき、もし転写材に厚紙を使用する場合、ＣＰＵ１は気圧センサ７を用いて機器内部の気圧情報を取得し、転写バイアス立ち上げ条件を設定する。１気圧（１０１３ｈＰａ）を基準に、１０ｈＰａ低くなるごとに立ち上げ時間を０．０１秒早くし、立ち上げ速度を遅くする（立ち上げカーブをなだらかにする）。
【００２８】
然るに、本実施の形態とすることによって、環境条件が低気圧傾向にあるときの転写部位におけるリークを防ぎ、より安定した画像形成が可能になる。尚、本実施の形態での条件に限定されるものではないのは勿論である。
【００２９】
＜実施の形態３＞
次に、本発明の実施の形態３について説明する。
【００３０】
本実施の形態は、実施の形態１の転写条件設定に、湿度情報を加味するようにしている。
【００３１】
一般に、湿度が高いほど空気の絶縁抵抗が低くなり、リークし易くなるという傾向がある。ユーザが画像形成を開始するとき、もし転写材に厚紙を使用する場合、ＣＰＵ１は湿度センサ８を用いて機器内の湿度情報取得し、転写バイアス立ち上げ条件を設定する。湿度７０％を基準に、１０％高くなるごとに立ち上げ時間を０．０１秒早くし、立ち上げ速度を遅くする（立ち上げカーブをなだらかにする）。
【００３２】
然るに、本実施の形態とすることによって、機内の湿度条件に適した転写バイアス立ち上げが可能になり、高湿度環境における転写部位でのリークを防ぎ、より安定した画像形成が可能になる。尚、本実施の形態での条件に限定されるものではないのは勿論である。
【００３３】
【発明の効果】
以上の説明で明らかなように、本発明によれば、画像形成条件に適した転写制御を行うことで、転写バイアス立ち上げ時のリークを防ぎ、より安定した画像形成ができるという効果が得られる。
【図面の簡単な説明】
【図１】本発明に係る画像形成装置要部の概略断面図である。
【図２】本発明に係る画像形成装置における転写材の搬送と転写バイアスの印加タイミングを示すタイミングチャートである。
【図３】従来の画像形成装置要部の概略断面図である。
【図４】従来の画像形成装置における転写材の搬送と転写バイアスの印加タイミングを示すタイミングチャートである。
【符号の説明】
１　　　　ＣＰＵ
２　　　　ＲＯＭ
３　　　　ＲＡＭ
４　　　　ＣＰＵ−外部間インタフェース
５　　　　操作部
６　　　　高圧電源装置
７　　　　気圧センサ
８　　　　湿度センサ
１０　　感光体（像担持体）
１１　　一次帯電器（帯電手段）
１２　　画像露光（画像情報書き込み手段）
１３　　現像器（現像手段）
１５　　転写材搬送ローラ
１６　　転写帯電器（転写手段）
１７　　クリーナ
１８　　転写材
１９　　除電針
【図１】
2004077626.tif 000003
【図２】
2004077626.tif 000004
【図３】
2004077626.tif 000005
【図４】
2004077626.tif 000006